(57)【特許請求の範囲】
【請求項１】
第１の回路と第２の回路との間を電気的に接続すると同時に、これら２つの回路間を保持、固定するコネクタであって、次の各構成を有することを特徴とするコネクタ。
（イ）  導電性板材により、上面板及び両側面板を含む断面コの字状で予め設定された長さに形成され、かつその上面板に嵌合・接続用穴が形成されて、前記第１の回路に接続される雌側嵌合コンタクト
（ロ）導電性弾性板材により、上面板及び両側面板を含む断面コの字状で予め設定された長さに形成され、かつその上面板には、この上面板を型抜きして嵌合・接続リードが形成されて、前記第２の回路に接続され、前記嵌合・接続リードが前記雌側コンタクトの嵌合・接続用穴に挿入された後、スライドされ加圧接触し、前記雌側嵌合コンタクトと嵌合する雄側嵌合コンタクト
（ハ）前記雌側嵌合コンタクト及び雄側嵌合コンタクトのうちの一方を保持すると同時に、これら雌側嵌合コンタクト及び雄側嵌合コンタクトが嵌合状態のときこれらコンタクトの側面を覆うインシュレータ
【請求項２】
前記雌側嵌合コンタクトは、その嵌合・接続用穴が、四辺形状の穴と、この穴につながり前記上面板の長手方向に延びる、予め定められた幅及び長さのスロット状の穴と、を含む形状に形成され、前記雄側嵌合コンタクトは、その嵌合・接続リードが、前記嵌合・接続用穴に対し、そのスロット状の穴の幅より細めの幅で片持ちばり状に上面板長手方向に延びる中軸板と、この中軸板の先端部分につながってその幅方向両側に広がり、更に前記中軸板の付け根方向に延びると同時に次第に前記上面板表面から遠ざかる方向にわん曲し、前記嵌合・接続用穴の四辺形状の穴の部分に挿入可能な広さを持つ袖状部分と、を含む形状に形成されて、前記嵌合・接続用穴に挿入された後、そのスロット状の穴の方向にスライドされ、前記袖状部分が前記スロット状の穴の幅方向両側の、上面板裏側に滑り込むと同時に前記中軸板がこのスロット状の穴に入りこんで前記袖状部分と前記スロット状の穴の幅方向両側部分との間で加圧接触する構造である、請求項１記載のコネクタ。
【請求項３】
前記雄側嵌合コンタクトは、その嵌合・接続リードの、前記雌側嵌合コンタクトの嵌合・接続用穴のスロット状穴両側と加圧接触する部分に、突起が形成されて成る、請求項２記載のコネクタ。
【請求項４】
前記雌側嵌合コンタクトは、その嵌合・接続用穴が複数個、その上面板長手方向に配列形成されて成り、前記雄側嵌合コンタクトは、その嵌合・接続リードが複数個、その上面板長手方向に、前記嵌合・接続用穴と対応して配列形成されて成る、請求項１記載のコネクタ。
【発明の詳細な説明】
【０００１】
【発明の属する技術分野】
本発明はコネクタに関し、特に２つ回路間を接続すると同時に、これら２つの回路間を保持、固定するコネクタに属する。
【０００２】
【従来の技術】
２つの回路間を接続すると同時に、これら２つの回路間を保持、固定する場合に、一方の回路が親基板に搭載され、他方の回路が平板状パッケージである例では、親基板側にソケット状のコネクタを搭載、固定して、このソケット状のコネクタに平板状パッケージを装着させるのが一般的である。
【０００３】
このようなコネクタの、従来の一つの例を、図５及び図６に示す。
このコネクタは、親基板である回路基板６００ｘに接続、保持、固定される部分の、バックプレート８１０、フィルム８２０、複数のコンタクト８３０を配列、保持したインシュレータ８４０、及びこれらを回路基板６００ｘと共に位置決めする位置決めピン８７０と、搭載された平板状パッケージ７００ｘを接続、保持固定する押え板８５０及びスクリュー８６０と、を含んで構成される。
【０００４】
このコネクタでは、その各部を、回路基板６００ｘに対し、位置決め保持、固定するために、回路基板６００ｘ及び各部に、スクリュー８６０用の穴、及び位置決めピン８７０用の穴が明けられ、回路基板６００ｘの裏側にはバックプレート８１０及びフィルム８２０を配置し、回路基板６００ｘの表側にコンタクト８３０付きのインシュレータ８４０及び押え板８５０を配置して、インシュレータ８４０と押え板８５０との間に平板状パッケージ７００ｘを挟み込んで、４本のスクリュー８６０により、これらをねじ止めする。
【０００５】
コンタクト８３０は、図６（ａ），（ｂ）に示すような形状をしていて、接続前にはその頂点部分及び底の部分がインシュレータ８４０の表面及び裏面から突出しており、スクリュー８６０で保持、固定されると、回路基板６００ｘ及び平板状パッケージ７００ｘが接近して、コンタクト８３０の頂点部分に平板状パッケージ７００ｘのランド７１０ｘが加圧接触し、回路基板６００ｘのランド６１０ｘがコンタクト８３０の底の部分に加圧接触してこれらランド６１０ｘ，７１０ｘ間が接続状態となる。
【０００６】
【発明が解決しようとする課題】
この従来のコネクタは、回路基板６００ｘの裏側に配置されるバックプレート８１０及びフィルム８２０と、回路基板６００ｘの表側に配置され、複数のコンタクト８３０を配列、保持するインシュレータ８４０、及び押え板８５０と、これら各部を回路基板６００ｘに対し位置決めする位置決めピン８７０と、を含み、複数のコンタクト８３０を配列、保持するインシュレータ８４０と押え板８５０との間に平板状パッケージ７００ｘを挟み込んで、４本のスクリュー８６０により、上記各部を回路基板６００ｘに対しねじ止め、保持、固定する構成、構造となっているので、部品点数が多く、部品コストが高くなる上、回路基板６００ｘの裏側及び表側に配置された部材を、位置決めしてねじ止め、保持、固定するため、その作業が煩雑で作業性が悪く、作業コストが上昇するという問題点があり、また複数のコンタクト８３０の配列領域外側で各部をねじ止め、保持、固定するため、全体の占有面積が大きくなって、実装密度が低下し、回路基板６００ｘの裏面側にも部材が配置されてねじ止めされ、回路基板６００ｘにはねじ止め用の穴も明けられているため、回路基板６００ｘに対する設計自由度が低下する上、設計工数が増大して設計コストが上昇する、という問題点があり、更に、複数のコンタクト８３０は同一形状であり、電極用のコンタクトも、これらコンタクト８３０を用いざるを得ず、たとえ複数個のコンタクト８３０を並列使用したとしても、その個数には限界があって、電源回路のインダクタンスが大きくなって、スイッチング動作時に急激な電源電圧変動が生じ、回路に誤動作が発生する危険性がある、という問題点がある。
【０００７】
本発明の目的は、上記従来技術の問題点に鑑みて、部品点数を少なくして部品コストを低減すると共に、各部の回路基板に対する保持、固定作業を容易にして作業コストを低減し、また各部の回路基板に対する保持、固定領域、占有面積を小さくして、実装密度を上げることができ、かつ、回路基板に対する設計自由度を向上させると共に、その設計工数を低減することができ、しかも、電源回路のインダクタンスを小さくすることができて、スイッチング動作時の電源電圧変動を低減して回路誤動作を防止することができるコネクタを提供することにある。
【０００８】
【課題を解決するための手段】
本発明のコネクタは、第１の回路と第２の回路との間を電気的に接続すると同時に、これら２つの回路間を保持、固定するコネクタであって、次の各構成を有することを特徴とする。
（イ）  導電性板材により、上面板及び両側面板を含む断面コの字状で予め設定された長さに形成され、かつその上面板に嵌合・接続用穴が形成されて、前記第１の回路に接続される雌側嵌合コンタクト
（ロ）導電性弾性板材により、上面板及び両側面板を含む断面コの字状で予め設定された長さに形成され、かつその上面板には、この上面板を型抜きして嵌合・接続リードが形成されて、前記第２の回路に接続され、前記嵌合・接続リードが前記雌側コンタクトの嵌合・接続用穴に挿入された後、スライドされ加圧接触し、前記雌側嵌合コンタクトと嵌合する雄側嵌合コンタクト
（ハ）前記雌側嵌合コンタクト及び雄側嵌合コンタクトのうちの一方を保持すると同時に、これら雌側嵌合コンタクト及び雄側嵌合コンタクトが嵌合状態のときこれらコンタクトの側面を覆うインシュレータ
【０００９】
また、前記雌側嵌合コンタクトは、その嵌合・接続用穴が、四辺形状の穴と、この穴につながり前記上面板の長手方向に延びる、予め定められた幅及び長さのスロット状の穴と、を含む形状に形成され、前記雄側嵌合コンタクトは、その嵌合・接続リードが、前記嵌合・接続用穴に対し、そのスロット状の穴の幅より細めの幅で片持ちばり状に上面板長手方向に延びる中軸板と、この中軸板の先端部分につながってその幅方向両側に広がり、更に前記中軸板の付け根方向に延びると同時に次第に前記上面板表面から遠ざかる方向にわん曲し、前記嵌合・接続用穴の四辺形状の穴の部分に挿入可能な広さを持つ袖状部分と、を含む形状に形成されて、前記嵌合・接続用穴に挿入された後、そのスロット状の穴の方向にスライドされ、前記袖状部分が前記スロット状の穴の幅方向両側の、上面板裏側に滑り込むと同時に前記中軸板がこのスロット状の穴に入りこんで前記袖状部分と前記スロット状の穴の幅方向両側部分との間で加圧接触する構造である、構成を有している。
【００１０】
また、前記雄側嵌合コンタクトは、その嵌合・接続リードの、前記雌側嵌合コンタクトの嵌合・接続用穴のスロット状穴両側と加圧接触する部分に、突起が形成されて構成される。
また、前記雌側嵌合コンタクトは、その嵌合・接続用穴が複数個、その上面板長手方向に配列形成されて成り、前記雄側嵌合コンタクトは、その嵌合・接続リードが複数個、その上面板長手方向に、前記嵌合・接続用穴と対応して配列形成されて構成される。
【００１２】
【発明の実施の形態】
本発明のコネクタの、一実施の形態は、第１の回路と第２の回路との間を電気的に接続すると同時に、これら２つの回路間を保持、固定するコネクタであって、雌側嵌合コンタクトと、雄側嵌合コンタクトと、インシュレータと、を含んで構成され、これらの詳細は次のとおりである。
まず、雌側嵌合コンタクトは、導電性板材により、上面板及び両側面板を含む断面コの字状で予め設定された長さに形成され、かつその上面板に嵌合・接続用穴が形成されて、上記第１の回路に接続される。
【００１３】
次に、雄側嵌合コンタクトは、導電性弾性板材により、上面板及び両側面板を含む断面コの字状で予め設定された長さに形成され、かつその上面板には、この上面板を型抜きして嵌合・接続リードが形成されて、上記第２の回路に接続され、上記嵌合・接続リードが上記雌側コンタクトの嵌合・接続用穴に挿入された後、スライドされ加圧接触し、上記雌側嵌合コンタクトと嵌合する。
【００１４】
また、インシュレータは、上記雌側嵌合コンタクト及び雄側嵌合コンタクトのうちの一方を保持すると同時に、これら雌側嵌合コンタクト及び雄側嵌合コンタクトが嵌合状態のときこれらコンタクトの側面を覆う、構成、構造となっている。
【００１５】
このような構成、構造とすることにより、部品点数を従来例に比べて半減することができて部品コストを低減することができると共に、これら各部を回路基板等に保持、固定する作業が容易となって、その作業コストを低減することができ、また、これら各部の回路基板に対する保持、固定領域、占有面積は、回路基板の表面側のみで、しかもねじ止めする必要がないので、その保持、固定領域、占有面積を小さくすることができて、実装密度を向上させることができると同時に、回路基板の裏面側は自由に利用することができて、その設計自由度を向上させることができ、かつ、その設計工数を低減することができ、しかも、雌側嵌合コンタクト及び雄側嵌合コンタクトを電源回路の接続用とすることにより、電源回路のインダクタンスを小さくすることができて、スイッチング動作時の、電源電圧変動を低減し、回路誤動作を防止することができる。
【００１６】
【実施例】
次に、本発明の実施例について図面を参照して説明する。
図１（ａ），（ｂ）は本発明のコネクタの一実施例の、回路基板及び平板状パッケージに搭載されてこれらの間を電気的に接続する状態を示す、一部拡大斜視図及び部分断面側面図、図２（ａ）〜（ｄ）はその部分拡大平面図、並びに部分断面側面図及び全般的な断面側面図、図３（ａ），（ｂ）はその雌側嵌合コンタクト及び雄側嵌合コンタクトの嵌合動作手順を示す断面側面図である。
【００１７】
この実施例のコネクタは、親基板である回路基板６００に接続、搭載される、２本の雌側嵌合コンタクト１００、及び複数の信号用コンタクト３００と、これら雌側嵌合コンタクト１００及び複数の信号用コンタクト３００を保持するインシュレータ４００と、平板状パッケージ７００に接続、搭載される雄側嵌合コンタクト２００と、を含んで構成され、これらの詳細は次のとおりである。
【００１８】
雌側嵌合コンタクト１００は、導電性板材により、上面板１１０及び両側面板１２１，１２２を含む断面コの字状で予め設定された長さに形成され、かつその上面板１１０には、四辺形状穴１３１と、この四辺形状穴１３１につながり、上面板１１０の長手方向に延びる、予め定められた幅及び長さのスロット状穴１３２と、を含む嵌合・接続用穴１３０が複数個、上面板１１０の長手方向に配列、形成され、断面コの字状の側面板１２１，１２２の開放端部分には、複数の接続脚１４０が形成されて、これら複数の接続脚１４０が回路基板６００上のランド６１０に接続されて、回路基板６００に接続、保持、固定されている。
【００１９】
また、同時に、この雌側嵌合コンタクト１００は、インシュレータ４００にその周囲（側面）を覆われるように、保持され、インシュレータ４００は、更に、複数の信号用コンタクト３００を配列、保持して回路基板６００に搭載されている。
【００２０】
雄側嵌合コンタクト２００は、導電性弾性板材により、上面板２１０、及び両側面板２２１，２２２を含む断面コの字状で雌側嵌合コンタクト１００と同程度の長さに形成され、かつその上面板２１０には、この上面板２１０を型抜きして、雌側嵌合コンタクト１００の嵌合・接続用穴１３０に対し、そのスロット状穴１３２の幅より細めで片持ちばり状に、上面板２１０の長手方向に延びる中軸板２３１と、この中軸板２３１の先端部分につながってその幅方向両側に広がり、更に中軸板２３１の付け根方向に延びると同時に、次第に上面板２３１表面から遠ざかる方向にわん曲し、嵌合・接続用穴１３０の四辺形状穴１３１の部分に挿入可能な広さを持つ袖状部分２３２，２３３と、を含む嵌合・接続リード２３０が複数個、上面板２１０の長手方向に配列、形成され、断面コの字状の側面２２１，２２２の開放端部分には、複数の接続脚２４０が形成されて、これら複数の接続脚２４０が平板状パッケージ７００のランド７２０に接続されて、平板状パッケージ７００に接続、保持、固定されている。
【００２１】
そしてこの雄側嵌合コンタクト２００は、その嵌合・接続リード２３０の袖状部分２３２，２３３が、雌側嵌合コンタクト１００の嵌合・接続用穴１３０の四辺形状穴１３１に挿入された後、スロット状穴１３２の方向にスライドされて、袖状部分２３２，２３３がスロット状穴１３２の両側の、上面板１１０の裏側に滑り込むと同時に中軸板２３１がこのスロット状穴１３２に入り込んで袖状部分２３２，２３３とスロット状穴１３２の両側の上面板１１０との間で加圧接触し、雌側嵌合コンタクト１００と嵌合する。
【００２２】
この状態のとき、インシュレータ４００は、嵌合状態の雌側嵌合コンタクト１００及び雄側嵌合コンタクト２００の側面全体を覆う構造となっている。
なお、雌側嵌合コンタクト１００の接続脚１４０、及び雄側嵌合コンタクト２００の接続脚２４０は、はんだ付け等により、回路基板６００のランド６１０、及び平板状パッケージ７００のランド７１０に接続される。
また、嵌合・接続リード２３０の袖状部分２３２，２３３には突起２３４が形成されていて、スロット状穴１３２の両側の上面板１１０との接続を良好に保つ構造となっている。
【００２３】
この実施例において、雌側嵌合コンタクト１００と雄側嵌合コンタクト２００とを嵌合させて、回路基板６００と平板状パッケージ７００とを電気的に接続する場合、まず、雄側嵌合コンタクト２００の、嵌合・接続リード２３０の袖状部分２３２，２３３が雌側嵌合コンタクト１００の、嵌合・接続用穴１３０の四辺形状穴１３１に挿入されるように、平板状パッケージ７００をインシュレータ４００上に配置し（図３（ａ）参照）、続いて、平板状パッケージ７００をスライドさせることにより、嵌合・接続リード２３０の袖状部分２３２，２３３が、嵌合・接続用穴１３０の、スロット状穴１３２の幅方向両側の上面板１１０裏側に滑り込むと同時に、嵌合・接続リード２３０の中軸板２３１がスロット状穴１３２に入り込み、袖状部分２３２，２３３とスロット状穴１３２の幅方向両側部分との間で加圧接触し、雌側嵌合コンタクト１００と雄側嵌合コンタクト２００とが嵌合する（図３（ｂ）参照）。
【００２４】
この嵌合の際に、雌側嵌合コンタクト１００と雄側嵌合コンタクト２００とは、その上面板１１０，２１０が互いに接触するまで接近するので、インシュレータ４００の表面及び裏面から突出していた信号用コンタクト３００の頂点部分及び底の部分が、平板状パッケージ７００のランド７２０及び回路基板６００のランド６２０に加圧接触し（図２（ｃ），（ｄ）参照）、回路基板６００と平板状パッケージ７００とが電気的に接続される。
【００２５】
なお、嵌合・接続用穴１３０のスロット状穴１３２の、四辺形状穴１３１との境界部分は、嵌合の際に嵌合・接続リード２３０の袖状部分２３２，２３３がその裏側に滑り込むのを容易にするために、わずかではあるが上方に曲げられている。
【００２６】
この実施例においては、部品点数が従来例に比べて半減するので、部品コストを低減することができると共に、その各部の回路基板６００及び平板状パッケージ７００への搭載、保持、固定作業も、はんだ付け等により容易にできるので、その作業コストを低減することができる。また、これら各部の回路基板６００に対する保持、固定領域、占有面積は、回路基板６００表面側のみで、しかもねじ止めする必要がないので、その保持、固定領域、占有面積を小さくすることができ、実装密度を向上させることができ、かつ、回路基板６００には保持、固定用の穴もなく、その裏面側及び中間層が自由に利用できるので、回路基板６００に対する設計自由度が向上する上、設計が容易となって設計工数も少なくなり、設計コストを低減することができる。
【００２７】
更に、雌側嵌合コンタクト１００及び雄側嵌合コンタクト２００を電源回路の接続用とすることにより、電源回路のインダクタンスを小さくすることができ、スイッチング動作時等における電源電圧変動を低減し、回路誤動作を防止することができる。
【００２８】
図４（ａ）〜（ｄ）は、上記コネクタの、回路基板６００に接続、保持固定され、かつインシュレータ４００に保持された雌側嵌合コンタクト１００と、平板状パッケージ７００に接続、固定された雄側嵌合コンタクト２００と、を嵌合させる、コネクタの嵌合用治具の一実施例を示す上面平面図、及びその嵌合手順を示す部分断面側面図である。
【００２９】
この実施例におけるコネクタの嵌合用治具５００は、スライド板５１０、スライド操作部５２０、及び位置決め保持部５３０を備えて構成され、これらの詳細は次のとおりである。
スライド板５１０は、平板状パッケージ７００の、スライド方向前方の辺部分及び後方の辺部分を保持してスライドし、平板状パッケージ７００をスライドさせる。
【００３０】
スライド操作部５２０は、カム部５２１及び操作ハンドル５２２を含んで成り、操作ハンドル５２２を回転させてカム部５２１を回転させ、このカム部５２１の回転により、スライド板５１０をスライドさせる。
位置決め保持部５３０は、スライド板５１０をスライド可能なように保持すると共に、スライド操作部５２０を、そのカム部５２１及び操作ハンドル５２２が回転可能なように保持し、かつ複数の位置決めピン５３１を備えて成り、これら位置決めピン５３１を、上記コネクタのインシュレータ４００の位置決め用孔４１０に挿入して平板状パッケージ７００を雌側嵌合コンタクト１００及びインシュレータ４００に対して位置決めする。
【００３１】
このような、コネクタの嵌合用治具５００を用いることにより、雌側嵌合コンタクト１００と、雄側嵌合コンタクト２００と、の間の嵌合動作が、より一層、円滑かつ容易になる。
【００３２】
【発明の効果】
以上説明したように本発明は、そのコネクタを、導電性板材により、予め設定された長さに形成され、かつ、所定の位置に少なくとも一つの嵌合・接続用穴が形成されて第１の回路に接続される雌側嵌合コンタクトと、導電性弾性板材により、予め設定された長さに形成され、かつ嵌合・接続用穴に対する嵌合・接続リードが形成されて第２の回路に接続され、この嵌合・接続リードを雌側嵌合コンタクトの嵌合・接続用穴に挿入して、雌側嵌合コンタクトと接続、嵌合する、雄側嵌合コンタクトと、嵌合状態のこれらコンタクトを、その側面から覆うインシュレータと、を備えた構成とすることにより、部品点数を従来例に比べて半減することができて部品コストを低減することができると共に、これら各部を回路基板等に保持、固定する作業が容易になってその作業コストを低減することができ、これら各部の回路基板に対する保持、固定領域、占有面積は、回路基板の表面側のみで、しかもねじ止めする必要がないので、保持、固定領域及び占有面積を小さくすることができて実装密度の向上をはかることができると同時に、回路基板に対する設計自由度を上げることができ、かつその設計工数を低減することができ、しかも、上記嵌合コンタクトを電源回路の接続用とすることにより、電源回路のインダクタンスを小さくすることができて、スイッチング動作時等の、電源電圧変動を低減し回路誤動作を防止することができる、という効果がある。
【００３３】
また、平板状パッケージの、スライド方向前側の辺及び後側の辺を保持してスライドするスライド板と、カム部及び操作ハンドルを含み、操作ハンドルでカム部を回転させてスライド板をスライドさせるスライド操作部と、スライド板をスライド可能なように保持し、平板状パッケージを、上記コネクタの雌側嵌合コンタクト及びインシュレータに対し位置決めする、位置決め保持部と、を備えた、コネクタの嵌合用治具を準備し、利用することにより、雌側嵌合コンタクトと雄側嵌合コンタクトとの間の嵌合動作を、より円滑かつ容易に行うことができる、という効果がある。
【図面の簡単な説明】
【図１】本発明のコネクタの一実施例を示す、回路基板及び平板状パッケージ搭載状態の斜視図及びその一部拡大斜視図、並びに嵌合動作を説明するための部分断面側面図である。
【図２】図１に示された実施例の部分拡大平面図、並びに部分断面側面図及び全般的な断面側面図である。
【図３】図１に示された実施例の、嵌合動作を説明するための断面側面図である。
【図４】図１に示されたコネクタの嵌合用治具の一実施例を示す上面平面図、及びその嵌合手順を示す部分断面側面図である。
【図５】従来のコネクタの一例を示す、分解斜視図である。
【図６】図５に示されたコネクタの、コンタクト部分の、接続前、接続後の状態を示す断面側面図である。
【符号の説明】
１００  雌側嵌合コンタクト
１１０  上面板
１２１，１２２  側面板
１３０  嵌合・接続用穴
１３１  四辺形状穴
１３２  スロット状穴
１４０  接続脚
２００  雄側嵌合コンタクト
２１０  上面板
２２１，２２２  側面板
２３０  嵌合・接続リード
２３１  中軸板
２３２，２３３  袖状部分
２３４  突起
３００  信号用コンタクト
４００  インシュレータ
４１０  位置決め用孔
５００  コネクタの嵌合用治具
５１０  スライド板
５１１  辺保持部
５２０  スライド操作部
５２１  カム部
５２２  操作ハンドル
５３０  位置決め保持部
５３１  位置決めピン
６００，６００ｘ  平板状パッケージ
６１０，６１０ｘ，６２０  ランド
７００，７００ｘ  平板状パッケージ
７１０，７１０ｘ，７２０  ランド
８１０  バックプレート
８２０  フィルム
８３０  コンタクト
８４０  インシュレータ
８５０  押え板
８６０  スクリュー
８７０  位置決めピン
【図１】
0003713681.tif 000002
【図２】
0003713681.tif 000003
【図３】
0003713681.tif 000004
【図４】
0003713681.tif 000005
【図５】
0003713681.tif 000006
【図６】
0003713681.tif 000007